(57)【要約】      （修正有）【課題】不用意にスライド部材が回し操作されるおそれがないキッチン用フロアキャビネットを提供する。【解決手段】  キャビネット本体２の上部前面に、左右方向に延在するレール部材３を設けて、このレール部材３にスライド部材４をスライド可能に係合させたキッチン用フロアキャビネットであって、レール部材３には、側面視で略Ｌ字状の係合溝３１を形成するとともに、スライド部材４には、側面視で略Ｌ字状の係合部４１を形成し、レール部材３の略Ｌ字状の係合溝３１にスライド部材４の略Ｌ字状の係合部４１を、前方から回し操作しながら係合させる一方、スライド部材４をレール部材３に係合させた位置で、スライド部材４とキャビネット本体２との間の隙間Ｔに介在して、スライド部材４の回し操作を阻止可能なストッパー部材１０Ａを設けた。【選択図】図３
2006212189.tif 000002
【特許請求の範囲】
【請求項１】
キャビネット本体の上部前面に、左右方向に延在するレール部材を設けて、このレール部材にスライド部材をスライド可能に係合させたキッチン用フロアキャビネットであって、
前記レール部材には、側面視で略Ｌ字状の係合溝を形成するとともに、前記スライド部材には、側面視で略Ｌ字状の係合部を形成し、前記レール部材の略Ｌ字状の係合溝に前記スライド部材の略Ｌ字状の係合部を、前方から回し操作しながら係合させる一方、前記スライド部材をレール部材に係合させた位置で、スライド部材とキャビネット本体との間の隙間に介在して、スライド部材の回し操作を阻止可能なストッパー部材を設けたことを特徴とするキッチン用フロアキャビネット。
【請求項２】
前記ストッパー部材は、前記キャビネット本体の上部前面と前記スライド部材との間の隙間に介在して、前記スライド部材に上下移動可能に取付けて、下移動操作時に前記隙間に介在するとともに、上移動操作時に前記隙間から上方に待避するようにしたことを特徴とする請求項１に記載のキッチン用フロアキャビネット。
【請求項３】
前記ストッパー部材は、キャビネット本体の前方に突出した上部下面と前記スライド部材との間の隙間に介在して、前記スライド部材に前後回動可能に取付けて、後回動操作時に前記隙間に介在するとともに、前回動操作時に前記隙間から前方に待避するようにしたことを特徴とする請求項１に記載のキッチン用フロアキャビネット。
【発明の詳細な説明】
【技術分野】
【０００１】
本発明は、キッチン用フロアキャビネットに関するものである。
【背景技術】
【０００２】
従来、キッチン用フロアキャビネットでは、調理に使用する部分の面積を広く確保するために、シンクの周縁部に段差部を設け、この段差部に可動式のプレートを載置することが知られている（例えば、特許文献１参照）。
【０００３】
近年では、大型鍋等を調理器からシンクへ簡単に移動させることができ、しかも調理に使用する部分の面積を広く確保することができるキッチン用フロアキャビネットが求められている。
【０００４】
そこで、調理器やシンク等を有するキャビネット本体の上部前面にレール部材を設けて、このレール部材に台板を有するスライド部材をスライド可能に係合させることによって、大型鍋等を台板に載せて調理器からシンクへ移動できるようにするとともに、台板を調理台としても使用できるようにしたキッチン用フロアキャビネットが提案されつつある。
【０００５】
このようなレール部材とスライド部材との係合構造は、一般的にレール部材の端部からスライド部材の係合部を差し込むようになっているため、スライド部材が不要な場合にスライド部材をレール部材から取外そうとしても、前方から取外すことはできず、またキャビネット本体の側面がキッチンの壁に面して設置される場合にはキャビネット本体設置後にスライド部材を取外すことはできない。
【０００６】
そこで、本出願人は、スライド部材をレール部材の前方から簡単に取付けたり、取外したりすることができるキッチン用フロアキャビネットを先に提案した。
【０００７】
かかるキッチン用フロアキャビネットは、レール部材には、側面視で略Ｌ字状の係合溝を形成するとともに、スライド部材には、側面視で略Ｌ字状の係合部を形成し、レール部材の略Ｌ字状の係合溝にスライド部材の略Ｌ字状の係合部を、前方から回し操作しながら係合させるようにしたものである。
【特許文献１】特開平６−７３７６７号公報
【発明の開示】
【発明が解決しようとする課題】
【０００８】
しかしながら、身体等がスライド部材に不用意に当たると、スライド部材が回し操作されるおそれがあるという問題があった。
【０００９】
本発明は、前記問題を解消するためになされたもので、不用意にスライド部材が回し操作されるおそれがないキッチン用フロアキャビネットを提供することを目的とするものである。
【課題を解決するための手段】
【００１０】
上述の目的を達成するために、本発明に係るキッチン用フロアキャビネットは、キャビネット本体の上部前面に、左右方向に延在するレール部材を設けて、このレール部材にスライド部材をスライド可能に係合させたキッチン用フロアキャビネットであって、前記レール部材には、側面視で略Ｌ字状の係合溝を形成するとともに、前記スライド部材には、側面視で略Ｌ字状の係合部を形成し、前記レール部材の略Ｌ字状の係合溝に前記スライド部材の略Ｌ字状の係合部を、前方から回し操作しながら係合させる一方、前記スライド部材をレール部材に係合させた位置で、スライド部材とキャビネット本体との間の隙間に介在して、スライド部材の回し操作を阻止可能なストッパー部材を設けたことを特徴とするものである。
【００１１】
前記ストッパー部材は、前記キャビネット本体の上部前面と前記スライド部材との間の隙間に介在して、前記スライド部材に上下移動可能に取付けて、下移動操作時に前記隙間に介在するとともに、上移動操作時に前記隙間から上方に待避するように構成することができる。
【００１２】
前記ストッパー部材は、キャビネット本体の前方に突出した上部下面と前記スライド部材との間の隙間に介在して、前記スライド部材に前後回動可能に取付けて、後回動操作時に前記隙間に介在するとともに、前回動操作時に前記隙間から前方に待避するように構成することができる。
【発明の効果】
【００１３】
本発明によれば、スライド部材をレール部材に係合させた位置で、スライド部材とキャビネット本体との間の隙間にストッパー部材を介在させることにより、スライド部材の回し操作を阻止するようにしたから、身体等がスライド部材に不用意に当たっても、スライド部材が回し操作されるおそれがなくなるので、安全性が向上するようになる。
【発明を実施するための最良の形態】
【００１４】
以下、本発明を実施するための最良の形態について、図面を参照しながら詳細に説明する。
【００１５】
図１および図２示すように、キッチン用フロアキャビネット１は、キャビネット本体２と、このキャビネット本体２の上部前面に設けられ、左右方向に延在するレール部材３と、このレール部材３にスライド可能に係合するスライド部材４と、このスライド部材４に取付けられるサポートバー５とを備えている。
【００１６】
前記キャビネット本体２は、略直方体の形状をなしており、人造大理石等で構成されるカウンター２１と、カウンター２１を支持する箱体２４とを有して、箱体２４の前面に前後方向に開閉可能な扉２５や引き出し２６が設けられている。
【００１７】
前記カウンター２１には、調理器（図示せず）やシンク２２が組み込まれているとともに、カラン２３が取付けられている。
【００１８】
前記レール部材３は、前記カウンター２１の下面と箱体２４の前面との角部分にビス等で固定されていて、手前側に開口する係合溝３１が形成されている。この係合溝３１は、前後方向に延びる基部溝３１ａと、基部溝３１ａの奥側で斜め上方に立ち上がる立上り溝３１ｂとからなり、側面視で略Ｌ字状をなしている。
【００１９】
前記スライド部材４は、側面視で略逆Ｔ字状をなしていて、前記レール部材３の係合溝３１に嵌り込んで係合する係合部４１と、前記サポートバー５に固定する固定部４２ａ，４２ｂとを有している。
【００２０】
前記係合部４１は、前後方向に延びて、レール部材３の係合溝３１の基部溝３１ａの下面に載置可能な基部４１ａと、基部４１ａの奥側で斜め上方に立ち上がって、レール部材３の係合溝３１の立上り溝３１ｂに係合可能な立上り部４１ｂとからなり、側面視で略Ｌ字状をなしている。
【００２１】
そして、前記係合部４１は、下から上に回し操作しながら係合溝３に挿入することにより、立上り部４１ｂが基部溝３１ａを通過して立上り溝３１ｂに係合するようになっている。
【００２２】
前記スライド部材４は、前方からレール部材３に取付けたり、取外したりすることができる。すなわち、スライド部材４をレール部材３から取外すには、図２（ａ）の取付け状態から図２（ｂ）のように、サポートバー５とともにスライド部材４を矢印ａのように持ち上げて、係合部４１を上から下に回し操作する。この状態で、図２（ｃ）のように、サポートバー５とともにスライド部材４の係合部４１を矢印ｂのように手前側（同図中の左側）に引き抜けば、前方からの操作でサポートバー５とともにスライド部材４をレール部材３から取外すことができる。
【００２３】
逆に、サポートバー５とともにスライド部材４をレール部材３に取付けるには、前記操作とは逆にすればよい。すなわち、図２（ｃ）の取外し状態から図２（ｂ）のように、サポートバー５とともにスライド部材４の係合部４１をレール部材３の係合溝３１に嵌め込み、この状態でサポートバー５とともにスライド部材４の係合部４１を下から上に回し操作すれば、図２（ａ）のように、立上り部４１ｂが立上り溝３１ｂに係合するとともに基部４１ａが基部溝３１ａの下面に載ることで、サポートバー５とスライド部材４の自重によって係合部４１の係合溝３１への係合状態が維持される。
【００２４】
前記スライド部材４は、前記サポートバー５の左右の端部付近の下面および裏面に固定部４２ａ，４２ｂでそれぞれ固定されている。
【００２５】
前記のように、サポートバー５とともにスライド部材４を前方からレール部材３に取付けたり、取外したりできるものでは、身体等がサポートバー５に不用意に当たると、サポートバー５とともにスライド部材４が図２（ｂ）の矢印ａのように持ち上げられて、スライド部材４が回し操作されるおそれがある。
【００２６】
そこで、図３および図４に示すような第１実施形態のストッパー部材１０Ａを設ける。このストッパー部材１０Ａは、合成樹脂材で縦長長方形の板状に形成されて、前記スライド部材４の立ち上がり部分の固定部４２ｂにビス４４で取付けられた、平面視で略Ｕ字状のガイドブラケット１１の裏側（後面側）に配置されている。
【００２７】
前記ガイドブラケット１１の幅方向の中央部には、下端から上端の手前まで延在する長溝１１ａが形成されるとともに、前記ストッパー部材１０Ａの前面下部には、図４（ｂ）に詳細に示すように、ガイドブラケット１１の長溝１１ａの幅よりも僅かに狭い幅の首部１０ａと、前記長溝１１ａの幅よりも広い頭部１０ｂとが形成されている。また、ストッパー部材１０の両側上部には、指で摘みやすい窪み部１０ｃが形成されている。
【００２８】
そして、ガイドブラケット１１の長溝１１ａに、下端からストッパー部材１０Ａの首部１０ａを嵌め込んだ状態で、ガイドブラケット１１をビス４４でスライド部材４の固定部４２ｂに取付けると、ストッパー部材１０Ａは、長溝１１ａに沿って上下移動操作できるようになる。また、図４（ｄ）のように、首部１０ａが長溝１１ａの上端に当たると、ストッパー部材１０Ａの上移動操作が規制されるとともに、図４（ｃ）のように、首部１０ａが水平部分の固定部４２ａの上面に当たると、ストッパー部材１０Ａの下移動操作が規制されるようになる。すなわち、ストッパー部材１０Ａは、ガイドブラケット１１の長溝１１ａから抜け外れないように保持されることになる。
【００２９】
前記ストッパー部材１０Ａは、図４（ｃ）の下移動操作時は、キャビネット本体２の上部に有るカウンター２１の前面とスライド部材４の固定部４２ｂの後面との間の隙間Ｔに介在するとともに、図４（ｄ）の上移動操作時は、前記隙間Ｔから上方に待避するようになる。
【００３０】
前記のようなストッパー部材１０Ａであれば、図２（ａ）の取付け状態で、ストッパー部材１０Ａが自重で下移動操作されて隙間Ｔに介在していると、身体等がサポートバー５に不用意に当たって、サポートバー５とともにスライド部材４が図２（ｂ）の矢印ａのように持ち上げられて、係合部４１が上から下に回し操作されようとしても、ストッパー部材１０Ａがカウンター２１の前面に当接するので、スライド部材４が回し操作されなくなって、安全性が向上するようになる。
【００３１】
また、図２（ａ）の取付け状態で、窪み部１０ｃを指で摘んでストッパー部材１０Ａを上移動操作すると、ストッパー部材１０Ａは、隙間Ｔから上方に待避するから、図２（ｂ）のように、サポートバー５とともにスライド部材４を矢印ａのように持ち上げて、係合部４１を上から下に回し操作して、図２（ｃ）のように、サポートバー５とともにスライド部材４をレール部材３から取り外せるようになる。
【００３２】
前記ストッパー部材１０Ａを合成樹脂で形成すれば、サポートバー５とともにスライド部材４をスライド操作するときに、合成樹脂製のストッパー部材１０Ａがカウンター２１の前面に接触するので、スライド操作が滑らかに行えるようになる。
【００３３】
また、ストッパー部材１０Ａは、ガイドブラケット１１の長溝１１ａから抜け外れないように保持されるので、紛失するおそれがなくなる。
【００３４】
図５および図６は、第２実施形態のストッパー部材１０Ｂである。このストッパー部材１０Ｂは、弾力を有する合成樹脂材や硬質ゴム材で略逆Ｕ字状に形成されて、前記スライド部材４の水平部分の固定部４２ａの上面に配置されている。
【００３５】
前記スライド部材４の固定部４２ａの上面には凹部４２ｃが形成されるとともに、この凹部４２ｃの後部に位置する固定部４２ａの両側面に前記ストッパー部材１０Ｂの両側部１０ｄを嵌め合わせて、この両側面部１０ｄの内向きヒンジ突起１０ｅを固定部４２ａの両側面のヒンジ穴４２ｄに嵌合させることで、ストッパー部材１０Ｂが固定部４２ａに前後回動自在に取付けられるようになる。
【００３６】
前記ストッパー部材１０Ｂは、図５に実線で示す後回動操作時は、キャビネット本体２から前方に突出したカウンター２１の下面とスライド部材４の固定部４２ａの上面との間の隙間Ｔに介在するとともに、図５に二点鎖線で示す前回動操作時は、前記隙間Ｔから前方に待避して、凹部４２ｃに嵌り込むようになる。なお、ストッパー部材１０Ｂの後回動操作時には、ストッパー部材１０Ｂの上面がカウンター２１の下面に弾力で接触して保持されるので、ストッパー部材１０Ｂが不用意に前回動することが無い。
【００３７】
前記のようなストッパー部材１０Ｂであれば、図５の取付け状態で、ストッパー部材１０Ｂを指で押して後回動操作すると、ストッパー部材１０Ｂは、カウンター２１の下面とスライド部材４の固定部４２ａの上面との間の隙間Ｔに介在するので、身体等がサポートバー５に不用意に当たって、サポートバー５とともにスライド部材４が図２（ｂ）の矢印ａのように持ち上げられて、係合部４１が上から下に回し操作されようとしても、ストッパー部材１０Ｂがカウンター２１の下面に当接するので、スライド部材４が回し操作されなくなって、安全性が向上するようになる。また、ストッパー部材１０Ｂは、固定部４２ａから抜け外れないように保持されるので、紛失するおそれがなくなる。
【００３８】
さらに、図５の取付け状態で、ストッパー部材１０Ｂを指で手前に引いて前回動操作すると、ストッパー部材１０Ｂは、隙間Ｔから前方に待避して凹部４２ｃに嵌り込むから、サポートバー５とともにスライド部材４を図２（ｂ）の矢印ａのように持ち上げて、係合部４１を上から下に回し操作して、サポートバー５とともにスライド部材４をレール部材３から取り外せるようになる〔図２（ｃ）参照〕。
【００３９】
前記各実施形態においては、サポートバー５の左右の端部にスライド部材４をそれぞれ固定しており、前記ストッパー部材１０Ａ，１０Ｂは、左右のスライド部材４にそれぞれ設けても良いが、いずれか一方のスライド部材４に設けるだけであっても良い。
【００４０】
前記実施形態では、スライド部材４をサポートバー５に取付けたものであったが、これに限られるものでは無く、スライド部材４にテーブル等に取付けても良い。
【図面の簡単な説明】
【００４１】
【図１】本発明の実施形態に係るキッチン用フロアキャビネットの斜視図である。
【図２】（ａ）〜（ｃ）は、レール部材に対してスライド部材を取付けたり、取外したりするときの操作を説明する図１のＡ−Ａに相当する断面図である。
【図３】第１実施形態のストッパー部材の断面図である。
【図４】第１実施形態のストッパー部材であり、（ａ）は斜視図、（ｂ）は要部拡大斜視図、（ｃ）は下移動操作時の断面図、（ｄ）は上移動操作時の断面図である。
【図５】第２実施形態のストッパー部材の断面図である。
【図６】第２実施形態のストッパー部材の斜視図である。
【符号の説明】
【００４２】
１    キッチン用フロアキャビネット
２    キャビネット本体
２１  カウンター
３    レール部材
３１  係合溝
４    スライド部材
４１  係合部
４２ａ，４２ｂ  固定部
５    サポートバー
１０Ａ，１０Ｂ  ストッパー部材
Ｔ    隙間
【図１】
2006212189.tif 000003
【図２】
2006212189.tif 000004
【図３】
2006212189.tif 000005
【図４】
2006212189.tif 000006
【図５】
2006212189.tif 000007
【図６】
2006212189.tif 000008